(57)【特許請求の範囲】
【請求項１】
消毒液が貯留される貯留槽と、
この貯留槽内の消毒液を加熱する加熱手段と、
前記貯留槽内の消毒液を流動させる流動手段と、
前記貯留槽内の消毒液に浸漬された靴支持体とを備え、
前記靴支持体にて支持されて前記貯留槽内の消毒液に浸漬された靴が消毒液によって洗浄消毒される靴消毒装置であって、
前記流動手段は、前記貯留槽内の消毒液を吸込口から吸い込んでフィルタを通過させ、この通過した消毒液を噴射口から前記貯留槽内に噴射するものであり、
前記靴支持体は、前記貯留槽内の消毒液に浸漬された靴の下面を支持する多孔板部を有し、
前記多孔板部の下方には、前記流動手段の噴射口および前記加熱手段の加熱部が配設されている
ことを特徴とする靴消毒装置。
【請求項２】
靴が貯留槽内に挿入されたことを検知する検知手段と、
この検知手段の検知に基づいて流動手段を作動させる制御手段とを備える
ことを特徴とする請求項１記載の靴消毒装置。
【請求項３】
貯留槽の上面開口部を開閉可能な蓋体と、
前記貯留槽に取り付けられ、靴挿通用孔部が形成された取付板と、
この取付板の前記靴挿通用孔部の周縁部に取り付けられ、前記靴挿通用孔部を開閉可能に覆う弾性変形可能な複数の線状部材とを備える
ことを特徴とする請求項１または２記載の靴消毒装置。
【発明の詳細な説明】
【技術分野】
【０００１】
本発明は、貯留槽内の消毒液の凍結を防止できる靴消毒装置に関するものである。
【背景技術】
【０００２】
従来、例えば特許文献１に記載された靴消毒装置が知られている。
【０００３】
この従来の靴消毒装置は、架台の上に緩衝装置を介して登り台を設け、その登り台を水槽である貯留槽に入った消毒液で浸し、その登り台に靴で登り、登り台の一部に振動モータを設置した構成である。
【先行技術文献】
【特許文献】
【０００４】
【特許文献１】特開平１０−２８６２１５号公報
【発明の概要】
【発明が解決しようとする課題】
【０００５】
しかしながら、上記従来の靴消毒装置では、例えば気温が氷点下になる冬期には、貯留槽内の消毒液が凍ってしまうおそれがある。
【０００６】
本発明は、このような点に鑑みなされたもので、貯留槽内の消毒液の凍結を防止できる靴消毒装置を提供することを目的とする。
【課題を解決するための手段】
【０００７】
請求項１記載の靴消毒装置は、消毒液が貯留される貯留槽と、この貯留槽内の消毒液を加熱する加熱手段と、前記貯留槽内の消毒液を流動させる流動手段と、前記貯留槽内の消毒液に浸漬された靴支持体とを備え、前記靴支持体にて支持されて前記貯留槽内の消毒液に浸漬された靴が消毒液によって洗浄消毒される靴消毒装置であって、前記流動手段は、前記貯留槽内の消毒液を吸込口から吸い込んでフィルタを通過させ、この通過した消毒液を噴射口から前記貯留槽内に噴射するものであり、前記靴支持体は、前記貯留槽内の消毒液に浸漬された靴の下面を支持する多孔板部を有し、前記多孔板部の下方には、前記流動手段の噴射口および前記加熱手段の加熱部が配設されているものである。
【０００８】
請求項２記載の靴消毒装置は、請求項１記載の靴消毒装置において、靴が貯留槽内に挿入されたことを検知する検知手段と、この検知手段の検知に基づいて流動手段を作動させる制御手段とを備えるものである。
【０００９】
請求項３記載の靴消毒装置は、請求項１または２記載の靴消毒装置において、貯留槽の上面開口部を開閉可能な蓋体と、前記貯留槽に取り付けられ、靴挿通用孔部が形成された取付板と、この取付板の前記靴挿通用孔部の周縁部に取り付けられ、前記靴挿通用孔部を開閉可能に覆う弾性変形可能な複数の線状部材とを備えるものである。
【発明の効果】
【００１０】
本発明によれば、貯留槽内の消毒液を加熱する加熱手段を備えるため、貯留槽内の消毒液の凍結を防止でき、しかも、貯留槽内の消毒液を流動させる流動手段を備えるため、靴を消毒液によって適切に洗浄消毒でき、例えば靴の下面の溝内まで適切に洗浄消毒できる。
【図面の簡単な説明】
【００１１】
【図１】本発明の一実施の形態に係る靴消毒装置の斜視図である。
【図２】同上靴消毒装置の平面図である。
【図３】同上靴消毒装置の正面視断面図である。
【図４】本発明の他の実施の形態に係る靴消毒装置の斜視図である。
【図５】同上靴消毒装置の平面図である。
【図６】同上靴消毒装置の正面視断面図である。
【発明を実施するための形態】
【００１２】
本発明の一実施の形態について図面を参照して説明する。
【００１３】
図１ないし図３において、１は靴消毒装置で、この靴消毒装置１は、例えば畜舎内の家畜が伝染病に感染するのを防止するために、畜舎の出入口付近に設置され、消毒液を用いて作業者の靴２、例えば長靴を消毒するものである。
【００１４】
靴消毒装置１は、図１ないし図３に示されるように、上面開口部４を有する貯留槽３を備え、この貯留槽３内に所定量の消毒液が貯留されている。貯留槽３内の消毒液は、定期的に新しいものに入れ替える。すなわち例えば１日１回、貯留槽３内の消毒液を排水管５から貯留槽３外に排出し、新しい消毒液を貯留槽３内に供給する。なお、貯留槽３は、熱が貯留槽３外に逃げ難くなるように、断熱板にて構成されている。
【００１５】
貯留槽３の上面開口部４は、上下方向に回動可能な蓋体６にて開閉可能となっている（図３参照）。貯留槽３の上部には取付板７が水平状に取り付けられ、この取付板７の中央部には靴挿通用孔部８が形成されている。取付板７の靴挿通用孔部８の周縁部には、弾性変形可能な複数の線状部材（例えばブラシやゴム等）９が取り付けられ、これら複数の線状部材９にて靴挿通用孔部８が開閉可能に覆われている。
【００１６】
また、靴消毒装置１は、貯留槽３内の消毒液を加熱し、その消毒液の温度を所定温度（例えば５℃〜１５℃）に保つ加熱手段（例えばサーモスタッド付きのヒータ等）11を備えている。加熱手段11は、例えば貯留槽３の底板部10の上面上にこの上面に沿って配設された棒状の加熱部12を有している。つまり、貯留槽３内の下部には、貯留槽３内の消毒液に直接接触して加熱する複数の加熱部12が配設されている。
【００１７】
さらに、貯留槽３内の下部には、貯留槽３内の消毒液に浸漬された靴２の下面（靴底面）を支持する水平状の多孔板部15が複数の加熱部12の上方部を覆うように配設され、この多孔板部15は４本の脚部16にて支持されている。つまり、多孔板部15と脚部16とにて靴支持体17が構成され、この靴支持体17が貯留槽３の底板部10の上面上に載置されて貯留槽３内の消毒液に浸漬されている。
【００１８】
また、靴消毒装置１は、ポンプ22の作動により貯留槽３内の消毒液を複数の吸込口（図示せず）から吸い込んでフィルタ23を通過させ、この通過した消毒液を複数の噴射口（図示せず）から貯留槽３内に噴射することにより、貯留槽３内の消毒液を貯留槽３内で流動させる流動手段であるポンプ手段21を備えている。つまり、ポンプ手段21は、靴２と消毒液とが効率的に接触するように、貯留槽３内に消毒液の液流を生じさせる液流発生手段である。
【００１９】
ポンプ手段21は、ポンプ22を有し、このポンプ22には吸込側配管25が接続され、この吸込側配管25の途中に消毒液中のゴミや泥等を除去するフィルタ23が設けられている。そして、吸込側配管25のうち貯留槽３内に位置する部分25aには、貯留槽３内の消毒液を吸い込む複数の吸込口が形成されている。
【００２０】
また、ポンプ22には、噴射側配管26が接続されており、この噴射側配管26は互いに平行な複数の分岐管部27を有している。そして、複数の分岐管部27のうち貯留槽３内に位置する部分27aには、貯留槽３内に消毒液を上方に向けて噴射する複数の噴射口が形成されている。つまり、ポンプ手段21の噴射口が靴支持体17の多孔板部15の下方に配設され、その多孔板部15にて支持された靴２の下面に向かって上向きの噴射口（吐出口）から消毒液が噴射されるようになっている。
【００２１】
なお、ポンプ22およびフィルタ23は、上面開口部29を有する収納容器28内に収納されている。この収納容器28の上面開口部29は、上下方向に回動可能な蓋体30にて開閉可能となっている（図３参照）。
【００２２】
また、靴消毒装置１は、貯留槽３の上面開口部４の開口時に靴２が貯留槽３内に挿入されたことを検知する検知手段31と、この検知手段31の検知に基づいてポンプ手段21のポンプ22を作動させる制御手段32とを備えている。
【００２３】
検知手段31は、例えば非接触式の光学系センサで、検知光を発光する発光部31aと、この発光部31aからの検知光を受光する受光部31bとを有している。発光部31aは取付板７の一方側上面に取り付けられ、受光部31bは取付板７の他方側上面に取り付けられている。
【００２４】
そして、靴２が貯留槽３内に挿入されて消毒液に浸漬されると、検知光がその靴２で遮光され、その結果、検知手段31から検知信号が制御手段32に送信され、制御手段32がポンプ22を作動させる。つまり、靴２が貯留槽３内に挿入されている間のみ、ポンプ22が作動し、貯留槽３内の消毒液を流動する。
【００２５】
次に、靴消毒装置１の作用等を説明する。
【００２６】
例えば北海道等では冬期には外気の気温が氷点下になるが、このような場合には、加熱手段11が作動し、貯留槽３内の消毒液の温度が所定温度に保たれる。このため、貯留槽３内の消毒液は凍結しない。
【００２７】
そして、例えば畜舎内に入ろうとする作業者は、蓋体６を上方に回動させた後、履いている靴（例えば長靴）２を、複数の線状部材９を弾性変形させながら、取付板７の靴挿通用孔部８に挿通させることにより貯留槽３内に挿入して貯留槽３内の消毒液に浸す。
【００２８】
すると、検知手段31の検知光が靴２で遮光され、検知手段31から検知信号が制御手段32に送信され、制御手段32がポンプ手段21のポンプ22を作動させる。
【００２９】
ポンプ22が作動すると、貯留槽３内の消毒液の一部が複数の吸込口から吸い込まれてフィルタ23を通過し、このフィルタ23を通過した消毒液が、ゴミや泥等が除去されてきれいになった状態で、複数の噴射口から貯留槽３内に噴射されて戻され、その結果、貯留槽３内の消毒液が、その貯留槽３内全体において流動する。つまり、消毒液は、貯留槽３、フィルタ23およびポンプ22を循環する。
【００３０】
そして、この貯留槽３内で流動する消毒液（消毒液の液流）によって、貯留槽３内の消毒液に浸漬された靴２が洗浄消毒される。つまり、靴２の表面に付着した付着物（例えば泥やごみ等）が消毒液によって洗浄除去されるとともに、靴２の表面が消毒液によって消毒される。特に、靴支持体17の多孔板部15にて支持された靴２の下面に向かって噴射口から消毒液が噴射されるため、消毒液が靴２の下面に直接当たり、靴２の下面に形成された溝内まで確実に洗浄消毒される。
【００３１】
そして、このような靴消毒装置１によれば、貯留槽３内の消毒液を加熱する加熱手段11を備えるため、貯留槽３内の消毒液の凍結を防止できて、冬期でも適切に使用でき、しかも、ポンプ22の作動に基づく消毒液の噴射によって貯留槽３内の消毒液を流動させるポンプ手段21を備えるため、靴２を流動する消毒液によって適切に洗浄消毒できる。
【００３２】
また、靴２が貯留槽３内に挿入されたことを検知する検知手段31と、この検知手段31の検知に基づいてポンプ手段21を作動させる制御手段32とを備えるため、例えば操作ボタン等の操作部を操作してポンプ手段21を作動させる必要がなく、靴２を貯留槽３内に挿入するだけで靴２の洗浄消毒を行うことができる。
【００３３】
さらに、ポンプ手段21は、貯留槽３内の消毒液を吸込口から吸い込んでフィルタ23を通過させ、この通過した消毒液を噴射口から貯留槽３内に噴射して、貯留槽３内の消毒液を流動させるため、洗浄除去によって消毒液中に含まれることになったゴミや泥等をフィルタ23で除去できる。
【００３４】
また、靴支持体17の多孔板部15にて支持された靴２の下面に向かって噴射口から消毒液が噴射されるようになっているため、靴２の下面（靴底）を確実に洗浄消毒できる。
【００３５】
なお、前記一実施の形態では長靴用について説明したが、例えば短靴である靴２を洗浄消毒するには図４ないし図６に示す短靴用の構成とし、この構成でも上記一実施の形態と同様の作用効果を奏することができる。
【００３６】
図４ないし図６に示す靴消毒装置１では、貯留槽３内の消毒液に浸漬された靴（短靴）２の下面（靴底面）を支持する多孔板部15が貯留槽３内の上部に配設されている。この多孔板部15の上面には、シート状のブラシ部20が設けられている。なおこれ同様、図３等に示す多孔板部15の上面上にシート状のブラシ部20を設けてもよい。
【００３７】
そして、多孔板部15の下方にはポンプ手段21の噴射口が配設され、その多孔板部15にて支持された靴２の下面に向かって上向きの噴射口（吐出口）から消毒液が噴射されるようになっている。この図４ないし図６に示す靴消毒装置１のその他の構成は、前記一実施の形態の長靴用のものと基本的に同一である。
【００３８】
なお、前記長靴用や短靴用のいずれの実施の形態においても、検知手段31は、非接触センサには限定されず、例えばマイクロスイッチ等の接触センサでもよく、また例えば靴２が多孔板部15上に載置された際にその靴２から受ける圧力を検知する圧力センサ等でもよい。
【００３９】
また、靴２が貯留槽３内に挿入されている間のみポンプ手段21が作動する構成には限定されず、例えば靴２が挿入されていない場合であっても、貯留槽３内の消毒液の凍結防止のために、ポンプ手段21が作動して消毒液が穏かに流動するようにしてもよい。
【００４０】
さらに、ポンプ手段21の噴射口が靴２の下面に向けて上方に消毒液を噴射する構成には限定されず、例えばポンプ手段21の噴射口が靴２の下面の下方位置で水平方向に消毒液を噴射する構成等でもよい。
【００４１】
また、例えばポンプ手段21の噴射口が靴２の下面および側面に向けて消毒液を噴射するようにしてもよい。
【符号の説明】
【００４２】
１    靴消毒装置
２    靴
３    貯留槽
６ 蓋体
７ 取付板
８ 靴挿通用孔部
９ 線状部材
11    加熱手段
12 加熱部
15    多孔板部
17 靴支持体
21    流動手段であるポンプ手段
23    フィルタ
31    検知手段
32    制御手段
【図１】
0005822223.tif 000002
【図２】
0005822223.tif 000003
【図３】
0005822223.tif 000004
【図４】
0005822223.tif 000005
【図５】
0005822223.tif 000006
【図６】
0005822223.tif 000007